(57)【要約】      （修正有）【課題】大型の台風や集中豪雨の際に、水が堤防の上を超えて越流水となって陸地側に侵入する越流現象が起こっても、基礎ブロック及びその周辺での深掘れの進行を遅らせて、堤防が決壊するまでの時間を延ばすようにする護岸構造物を提供する。【解決手段】堤防の法面において、基礎１の上に複数の基礎ブロック２を敷設し、基礎ブロック２の上に複数の護岸ブロック３を法面に沿って積み上げて構築する護岸構造物であって、基礎ブロック２の長手方向の左右２ヶ所に前面下側から後面上側にわたって護岸ブロック３の積み上げ方向に向かう貫通孔２２をそれぞれ設けると共に、護岸ブロック３の長手方向の左右２ヶ所に護岸ブロック３の積み上げ方向に向かう貫通孔３３をそれぞれ設け、基礎ブロック２の２つの貫通孔２２と護岸ブロック３の２つの貫通孔３３とに挿入されて、基礎ブロック２から上方の護岸ブロック３までを連結するコ字型連結鉄筋４を有する。【選択図】図７
0003206883.tif 000002
【実用新案登録請求の範囲】
【請求項１】
堤防の法面において、左右方向に延びた基礎の上に左右方向に複数の基礎ブロックを敷設し、複数の基礎ブロックの上に左右方向及び上下方向に複数の護岸ブロックを法面に沿って積み上げて構築する護岸構造物であって、
基礎ブロックの長手方向の左右２ヶ所に前面下側から後面上側にわたって護岸ブロックの積み上げ方向に向かう貫通孔をそれぞれ設けると共に、護岸ブロックの長手方向の左右２ヶ所に護岸ブロックの積み上げ方向に向かう貫通孔をそれぞれ設け、
基礎ブロックの長手方向の左右２つの貫通孔と護岸ブロックの長手方向の左右２つの貫通孔とに挿入されて、基礎ブロックから上方の護岸ブロックまでを連結するコ字型連結鉄筋を有することを特徴とする護岸構造物。
【請求項２】
請求項１に記載された護岸構造物において、
基礎ブロックの前面下側に、２つの貫通孔を経て長手方向の左右に向かうコ字型連結鉄筋をはめ込む溝部を有することを特徴とする護岸構造物。
【請求項３】
請求項１又は２に記載された護岸構造物において、
基礎ブロックの前面下側の長手方向の左右端部それぞれに凹部を設け、隣接する基礎ブロックの凹部にわたって接続金具を取り付けて、隣接する基礎ブロック同士を接続したことを特徴とする護岸構造物。
【考案の詳細な説明】
【技術分野】
【０００１】
本考案は、堤防の法面に、その表面を保護して補強するために設置する護岸構造物に関する。
【背景技術】
【０００２】
河川や海岸などに沿って造られ、河川や海の水の陸地側への侵入を防ぐ堤防は、その高さを、河川の場合、洪水時に想定される計画高水位に余裕高を加えたもの以上に、また、海岸の場合、異常潮位の際に想定される計画高潮位に波の影響を考慮した高さを加えたもの以上に、安全を考慮して高めに設定している。このことから、堤防の上を超えて河川や海の水が越流水となって陸地側に侵入するといった越流現象については原則として想定されていない。
【０００３】
図９は、従来の護岸構造物の堤防の法面への設置状態を示す説明図である。
堤防において、河川側又は海側と陸地側との法面には、その表面を保護して補強するための護岸構造物を設置している。護岸構造物は、河川に設置する場合、図９に示すように、河川の水の流れる方向である左右に延びた基礎５１の上に左右方向に複数の基礎ブロック５２を敷設し、複数の基礎ブロック５２の上に左右方向及び上下方向に複数の平板状の護岸ブロック５３を法面に沿って積み上げる。なお、護岸ブロック５３は、上下方向に当該護岸ブロック５３を千鳥状に積み上げると共に、上下方向に隣接する護岸ブロック５３同士を連結鉄筋５４で連結している。
【０００４】
ところで、地球温暖化に代表される気候の変動により、大型の台風や集中豪雨の際、想定以上の雨量が流れて水位が上昇し、水が堤防の上を超えて越流水となって陸地側に侵入する越流現象が起こっている。
【０００５】
堤防の上を超えた越流水は、堤防の陸地側の法面を勢いよく流下することで、堤防の陸地側の法面に設置した護岸構造物の基礎ブロック５２と護岸ブロック５３に越流水の水圧が大きな力となって作用する。特に、護岸構造物の下端に位置する基礎ブロック５２には越流水の水圧が非常に大きな力となって作用する。このため、越流水の水圧による大きな力に耐え切れなくなると、基礎ブロック５２及びその周辺が削り取られる深掘れが起こり、基礎ブロック５２及び護岸ブロック５３の崩壊が始まって、堤防の決壊による河川の氾濫が発生し、近隣地域に甚大な被害をもたらすおそれがある。
【考案の概要】
【考案が解決しようとする課題】
【０００６】
本考案は、このような問題を解決するためになされたものであり、その目的は、大型の台風や集中豪雨の際に、水が堤防の上を超えて越流水となって陸地側に侵入する越流現象が起こっても、護岸構造物の基礎ブロック及びその周辺での深掘れの進行を遅らせて、堤防が決壊するまでの時間を延ばすようにすることである。
【課題を解決するための手段】
【０００７】
本考案は、堤防の法面において、左右方向に延びた基礎の上に左右方向に複数の基礎ブロックを敷設し、複数の基礎ブロックの上に左右方向及び上下方向に複数の護岸ブロックを法面に沿って積み上げて構築する護岸構造物であって、基礎ブロックの長手方向の左右２ヶ所に前面下側から後面上側にわたって護岸ブロックの積み上げ方向に向かう貫通孔をそれぞれ設けると共に、護岸ブロックの長手方向の左右２ヶ所に護岸ブロックの積み上げ方向に向かう貫通孔をそれぞれ設け、基礎ブロックの長手方向の左右２つの貫通孔と護岸ブロックの長手方向の左右２つの貫通孔とに挿入されて、基礎ブロックから上方の護岸ブロックまでを連結するコ字型連結鉄筋を有する。
【考案の効果】
【０００８】
本考案によれば、基礎ブロックの長手方向の左右２つの貫通孔と護岸ブロックの長手方向の左右２つの貫通孔とに挿入されて、基礎ブロックから上方の護岸ブロックまでを連結するコ字型連結鉄筋を有することで、基礎ブロックと上方の複数の護岸ブロックとを強固に連結することができ、これにより、大型の台風や集中豪雨の際に越流現象が起こって、護岸構造物に越流水の水圧による大きな力が作用しても、護岸構造物の基礎ブロック及びその周辺での深掘れの進行を遅らせることができ、堤防が決壊するまでの時間を延ばすことができる。
【図面の簡単な説明】
【０００９】
【図１】本考案の実施形態に係る護岸構造物の堤防の法面への設置状態を示す説明図である。
【図２】本考案の実施形態に係る護岸構造物の堤防の法面への設置状態を示す斜視図である。
【図３】護岸構造物の基礎ブロックを示す説明図である。
【図４】護岸構造物の護岸ブロックを示す説明図である。
【図５】基礎ブロックの敷設及び護岸ブロックの積み上げ工程を示す説明図である。
【図６】コ字型連結鉄筋を示す説明図である。
【図７】本考案の護岸構造物の斜視図である。
【図８】接続金具の使用状態を示す説明図である。
【図９】従来の護岸構造物の堤防の法面への設置状態を示す説明図である。
【考案を実施するための形態】
【００１０】
本考案の護岸構造物を、その一実施形態について説明する。
図１は、本実施形態の護岸構造物の堤防の法面への設置状態を示す説明図、図２は、本実施形態の護岸構造物の堤防の法面への設置状態を示す斜視図である。
【００１１】
護岸構造物は、河川や海岸などに沿って造られる堤防において、その河川側又は海側と陸地側との法面に、その表面を保護して補強するために設置するものである。本実施形態の護岸構造物は、河川の堤防の陸地側の法面に設置する。ただし、護岸構造物の設置場所は、これに限定されるものではなく、河川の堤防の河川側の法面、さらには海岸の堤防の海側の法面あるいは陸地側の法面に設置してもよい。
【００１２】
護岸構造物は、図１、図２に示すように、堤防の法面において、コンクリートを打設して作られる左右に延びた基礎１の上に左右方向に複数の基礎ブロック２を敷設し、左右方向に敷設する複数の基礎ブロック２の上に左右方向及び上下方向に複数の護岸ブロック３を法面に沿って積み上げて構築する。なお、ここでの左右方向とは、河川の水の流れる方向である。
【００１３】
図３は、護岸構造物の基礎ブロックを示す説明図であり、図３Ａは、基礎ブロックの正面図、図３Ｂは、前面側の斜視図、図３Ｃは、後面側の斜視図である。
基礎ブロック２は、図３に示すように、前面２ａと後面２ｂ、左右の側面２ｃ，２ｄ、上面２ｅと下面２ｆをそれぞれ有し、全体の形状は図３Ａで見て左右に長い直方体状であって、その後面２ｂの上側を斜めにカットして護岸ブロック３が突き当たるブロック受け部２１にする。基礎ブロック２の長手方向の左右２ヶ所には、前面２ａ下側から後面２ｂ上側のブロック受け部２１にわたって護岸ブロック３の積み上げ方向に向かう貫通孔２２をそれぞれ設ける。長手方向の左右２つの貫通孔２２は、基礎ブロック２の左右方向において左右端より１／４の位置と３／４の位置に設ける。
【００１４】
また、基礎ブロック２は、その前面２ａ下側に、前記２つの貫通孔２２を経て長手方向の左右に向かう溝部２３を有し、さらに、左右に向かう溝部２３の左右端部それぞれに凹部２４を設ける。この凹部２４にはボルト穴２５を有する。
ただし、基礎ブロック２の形状については、これに限定されるものではなく、その他の形状のものでもよい。また、基礎ブロック２は、前面２ａ下側に溝部２３を有さなくてもよいし、あるいは前面２ａの左右端部に凹部２４を設けなくてもよい。
【００１５】
図４は、護岸構造物の護岸ブロックを示す説明図であり、図４Ａは、護岸ブロックの正面図、図４Ｂは、護岸ブロックの平面図、図４Ｃは、護岸ブロックの斜視図である。
護岸ブロック３は、図４に示すように、図４Ａ及び４Ｂで見て左右に長い長方形平板状のベース部３１と、その上方に平面視菱形状でかつ側面視台形状の突起部３２とを一体的に形成する。ただし、護岸ブロック３の形状については、これに限定されるものではなく、その他の形状のものでもよい。
【００１６】
また、護岸ブロック３の長手方向の左右２ヶ所には、そのベース部３１において図４Ｂで見て前後方向に向かう貫通孔３３をそれぞれ設け、この貫通孔３３は、基礎ブロック２の上に護岸ブロック３を法面に沿って積み上げるとき、護岸ブロックの積み上げ方向に向かう。長手方向の左右２つの貫通孔３３は、護岸ブロック３の左右方向において左右端より１／４の位置と３／４の位置に設ける。この長手方向の左右２つの貫通孔３３の間隔は基礎ブロック２に設ける長手方向の左右２つの貫通孔２２の間隔と同じである。
【００１７】
次に、護岸構造物における基礎ブロック２の敷設及び護岸ブロック３の積み上げについて説明する。
図５は、基礎ブロックの敷設及び護岸ブロックの積み上げ工程を示す説明図、図６は、コ字型連結鉄筋を示す説明図、図７は、本実施形態の護岸構造物の斜視図、図８は、接続金具の使用状態を示す説明図である。
【００１８】
基礎ブロック２の敷設は、図５Ａに示すように、左右方向に延びた基礎１の上に左右方向に複数の基礎ブロック２を敷設する。
【００１９】
護岸ブロック３の積み上げは、基礎ブロック２を基礎１の上に敷設した後、図５Ｂに示すように、基礎ブロック２の上に一段目の護岸ブロック３を左右方向に複数積み上げる。このとき、一段目の護岸ブロック３は、基礎ブロック２に対して左右方向に護岸ブロック３の左右方向の長さ１／２分だけずらして積む。一段目の護岸ブロック３を積み上げた後、図５Ｃに示すように、一段目の護岸ブロック３の上に二段目の護岸ブロック３を左右方向に複数積み上げる。このときも、二段目の護岸ブロック３は、一段目の護岸ブロック３に対して左右方向に護岸ブロック３の左右方向の長さ１／２分だけずらして積む。即ち、基礎ブロック２の上に複数の護岸ブロック３を千鳥状に積み上げる。この護岸ブロック３の積み上げを、堤防の上端である所定の高さまで行う。これによって、堤防の陸地側の法面において、基礎ブロック２の上に左右方向及び上下方向に複数の護岸ブロック３を法面に沿って積み上げることができる。ただし、護岸ブロック３の積み上げは、上記の積み上げパターンに限定されるものではなく、その他の積み上げパターンにしてもよい。
【００２０】
次に、基礎１の上に敷設した基礎ブロック２及びその上に積み上げた護岸ブロック３において、基礎ブロック２の長手方向の左右２つの貫通孔２２と護岸ブロック３の長手方向の左右２つの貫通孔３３とに挿入して、基礎ブロック２から上方の護岸ブロック３まで連結したコ字型連結鉄筋４を有する。コ字型連結鉄筋４は、図６に示すように、１本の鉄筋からなり、中央部４１を有し、その中央部４１の両側それぞれを直角に曲げて平行となる２つの両側部４２を有したものである。中央部４１の長さは、基礎ブロック２の長手方向の左右２つの貫通孔２２の間隔及び護岸ブロック３の長手方向の左右２つの貫通孔３３の間隔と同じである。
【００２１】
即ち、図７に示すように、コ字型連結鉄筋４を基礎ブロック２の長手方向の左右２つの貫通孔２２にその前面２ａ下側より挿入する。このとき、コ字型連結鉄筋４の中央部４１は基礎ブロック２の前面２ａ下側に有した長手方向の左右に向かう溝部２３にはめ込まれる。次に、基礎ブロック２の貫通孔２２に挿入したコ字型連結鉄筋４を基礎ブロック２の上に積み上げる護岸ブロック３の貫通孔３３に挿入し、これを上方たとえば最上段の護岸ブロック３の貫通孔３３まで挿入する。最上段の護岸ブロック３の貫通孔３３まで挿入した後、コ字型連結鉄筋４の先端を、最上段の護岸ブロック３の縁に沿って左右に向かうように備える連結鉄筋５につなぎ合わせる。これにより、コ字型連結鉄筋４により基礎ブロック２から最上段の護岸ブロック３まで連結する。また、基礎ブロック２から挿入したコ字型連結鉄筋４にあっては、前述の実施形態では最上段の護岸ブロック３まで挿入して連結しているが、これに限定されるものではなく、途中の段の護岸ブロック３まで挿入して連結し、ここから別の連結鉄筋を使用して最上段の護岸ブロック３まで連結してもよい。
【００２２】
また、図８に示すように、基礎ブロック２の前面２ａ下側の長手方向の左右端部それぞれに設けた凹部２４には、板状の接続金具２６を取り付け、接続金具２６は、凹部２４に嵌め込んで、ボルト２７によって取り付けられる。この接続金具２６を、隣接する基礎ブロック２の凹部２４にわたって取り付けて、隣接する基礎ブロック２同士を接続する。
【００２３】
本実施形態によれば、基礎ブロック２の長手方向の左右２つの貫通孔２２と護岸ブロック３の長手方向の左右２つの貫通孔３３とに挿入されて、基礎ブロック２から上方の護岸ブロック３までを連結するコ字型連結鉄筋４を有することで、基礎ブロック２と上方の複数の護岸ブロック３とを強固に連結することができる。これにより、大型の台風や集中豪雨の際に越流現象が起こって、護岸構造物に越流水の水圧による大きな力が作用しても、特に、護岸構造物の基礎ブロック２及びその周辺に最も大きな力が作用しても、ここでの深掘れの進行を遅らせることができ、堤防が決壊するまでの時間を延ばすことができる。
【００２４】
また、基礎ブロック２とコ字型連結鉄筋４にあっては、基礎ブロック２の前面２ａ下側に、２つの貫通孔２２を経て長手方向の左右に向かうコ字型連結鉄筋４をはめ込む溝部２３を有することで、基礎ブロック２にコ字型連結鉄筋４を密着させて、コ字型連結鉄筋４を強固に取り付けることができ、これによって、護岸構造物の基礎ブロック２及びその周辺を堅固にすることができる。
【００２５】
また、隣接する基礎ブロック２にあっては、接続金具２６を隣接する基礎ブロック２の凹部２４にわたって取り付けることで、隣接する基礎ブロック２同士を強固に接続させることができ、これによっても、護岸構造物の基礎ブロック２及びその周辺を堅固にすることができる。
【符号の説明】
【００２６】
１…基礎、２…基礎ブロック、２ａ…前面、２ｂ…後面、２ｃ…側面、２ｄ…側面、２ｅ…上面、２ｆ…下面、３…護岸ブロック、４…コ字型連結鉄筋、５…連結鉄筋、２１…ブロック受け部、２２…貫通孔、２３…溝部、２４…凹部、２５…ボルト穴、２６…接続金具、２７…ボルト、３１…ベース部、３２…突起部、３３…貫通孔、４１…中央部、４２…両側部、５１…基礎、５２…基礎ブロック、５３…護岸ブロック、５４…連結鉄筋。
【図１】
0003206883.tif 000003
【図２】
0003206883.tif 000004
【図３】
0003206883.tif 000005
【図４】
0003206883.tif 000006
【図５】
0003206883.tif 000007
【図６】
0003206883.tif 000008
【図７】
0003206883.tif 000009
【図８】
0003206883.tif 000010
【図９】
0003206883.tif 000011